(57)【要約】【課題】内燃機関の始動性の向上が図られる内燃機関の燃料供給装置を提供する。【解決手段】燃料供給装置１０は、エンジンの筒１４０内に燃料を噴射するための筒内噴射用インジェクタ１４３と、燃料供給配管４１と、高圧燃料ポンプ２１と、チェックバルブ３１とを備える。燃料供給配管４１は、燃料タンク１３５から筒内噴射用インジェクタ１４３に向けて延びる。高圧燃料ポンプ２１は、加圧した燃料を筒内噴射用インジェクタ１４３に向けて圧送する。高圧燃料ポンプ２１は、燃料供給配管４１の経路上に設けられている。チェックバルブ３１は、燃料供給配管４１の経路上であって、高圧燃料ポンプ２１よりも燃料タンク１３５から筒内噴射用インジェクタ１４３に向けて供給される燃料流れの上流側に設置されている。チェックバルブ３１は、エンジンの運転時に開弁し、エンジンの停止時に閉弁する。【選択図】図１
2007327424.tif 000002
【特許請求の範囲】
【請求項１】
内燃機関の筒内に燃料を噴射するための第１の燃料噴射部と、
燃料タンクから前記第１の燃料噴射部に向けて延びる第１の配管と、
燃料を加圧する加圧室を含み、加圧した燃料を前記第１の燃料噴射部に向けて圧送し、前記第１の配管の経路上に設けられた燃料ポンプと、
前記第１の配管の経路上であって、前記燃料ポンプよりも前記燃料タンクから前記第１の燃料噴射部に向けて供給される燃料流れの上流側に設置され、内燃機関の運転時に開弁し、内燃機関の停止時に閉弁するバルブとを備える、内燃機関の燃料供給装置。
【請求項２】
前記第１の配管の経路上には、内燃機関の運転時、燃圧を所定の値に保持する調圧部が設置され、
前記バルブは、前記燃料ポンプから前記燃料タンクに向かう燃料流れを規制するとともに、前記所定の値よりも小さい圧力で開弁し、前記燃料タンクから前記燃料ポンプに向かう燃料流れを許容するチェックバルブである、請求項１に記載の内燃機関の燃料供給装置。
【請求項３】
内燃機関の筒内に燃料を噴射するための第１の燃料噴射部と、
燃料タンクから前記第１の燃料噴射部に向けて延びる第１の配管と、
燃料を加圧する加圧室を含み、加圧した燃料を前記第１の燃料噴射部に向けて圧送し、前記第１の配管の経路上に設けられた燃料ポンプと、
前記燃料ポンプに接続され、前記加圧室から漏出した燃料を回収するリターン配管と、
前記リターン配管の経路上に設置され、内燃機関の運転時に開弁し、内燃機関の停止時に閉弁するバルブとを備える、内燃機関の燃料供給装置。
【請求項４】
内燃機関の吸気通路内に燃料を噴射するための第２の燃料噴射部と、
前記バルブよりも前記燃料タンクから前記第１の燃料噴射部に向けて供給される燃料流れの上流側で前記第１の配管から分岐し、前記第２の燃料噴射部に向けて延びる第２の配管とをさらに備える、請求項１から３のいずれか１項に記載の内燃機関の燃料供給装置。
【請求項５】
前記バルブは、電磁バルブである、請求項１から４のいずれか１項に記載の内燃機関の燃料供給装置。
【発明の詳細な説明】
【技術分野】
【０００１】
この発明は、一般的には、内燃機関の燃料供給装置に関し、より特定的には、筒内噴射用インジェクタと吸気通路噴射用インジェクタとを備える内燃機関の燃料供給装置に関する。
【背景技術】
【０００２】
従来の内燃機関の燃料供給装置に関して、たとえば、特開２００１−２８９０９９号公報には、燃料ポンプが本来持つ最大燃料吐出量を確実に得ることを目的としたエンジンの燃料供給装置が開示されている（特許文献１）。特許文献１に開示された燃料供給装置は、燃料タンク内から燃料を送り出すフィードポンプと、フィードポンプによって送り出された燃料を加圧して、燃料噴射弁に向けて吐出する高圧燃料ポンプとを備える。高圧燃料ポンプは、シリンダ内で往復移動するプランジャと、シリンダおよびプランジャによって区画される加圧室とを有する。加圧室は、低圧燃料通路を介してフィードポンプに接続されている。
【特許文献１】特開２００１−２８９０９９号公報
【発明の開示】
【発明が解決しようとする課題】
【０００３】
上述の特許文献１に開示されるような燃料供給装置では、高圧燃料ポンプのプランジャとシリンダとの間から漏出する燃料を燃料タンクに回収するため、リターン配管が設けられる。しかしながら、エンジン停止後に高圧燃料ポンプからリターン配管に燃料が漏出した場合、低圧燃料通路内に大量のベーパが発生する。これにより、次のエンジン始動時、フィードポンプを起動させた直後に燃料の供給系の燃圧が瞬時に上がり切らず、エンジンが始動不良を起こすおそれが生じる。
【０００４】
そこでこの発明の目的は、上記の課題を解決することであり、内燃機関の始動性の向上が図られる内燃機関の燃料供給装置を提供することである。
【課題を解決するための手段】
【０００５】
この発明に１つの局面に従った内燃機関の燃料供給装置は、内燃機関の筒内に燃料を噴射するための第１の燃料噴射部と、第１の配管と、燃料ポンプと、バルブとを備える。第１の配管は、燃料タンクから第１の燃料噴射部に向けて延びる。燃料ポンプは、燃料を加圧する加圧室を含む。燃料ポンプは、加圧した燃料を第１の燃料噴射部に向けて圧送する。燃料ポンプは、第１の配管の経路上に設けられている。バルブは、第１の配管の経路上であって、燃料ポンプよりも燃料タンクから第１の燃料噴射部に向けて供給される燃料流れの上流側に設置されている。バルブは、内燃機関の運転時に開弁し、内燃機関の停止時に閉弁する。
【０００６】
このように構成された内燃機関の燃料供給装置によれば、バルブを設置することによって、内燃機関の停止時に、バルブよりも燃料流れの上流側で第１の配管を満たす燃料が、燃料ポンプを通じて外部に漏出することを抑制できる。これにより、内燃機関の停止後、第１の配管の内圧が急激に低下することを防止し、ベーパの発生を抑えることができる。この結果、内燃機関の始動性を向上させることができる。
【０００７】
また好ましくは、第１の配管の経路上には、内燃機関の運転時、燃圧を所定の値に保持する調圧部が設置されている。バルブは、燃料ポンプから燃料タンクに向かう燃料流れを規制するとともに、所定の値よりも小さい圧力で開弁し、燃料タンクから燃料ポンプに向かう燃料流れを許容するチェックバルブである。このように構成された内燃機関の燃料供給装置によれば、内燃機関の運転時、調圧部により燃圧を所定の値に保持された燃料が、チェックバルブを開弁する。これにより、燃料タンクから第１の燃料噴射部に向かう燃料流れが許容され、第１の燃料噴射部に燃料が供給される。一方、内燃機関の停止時には、チェックバルブが閉弁し、バルブよりも燃料流れの上流側で、第１の配管の内圧が所定の値に保持される。
【０００８】
この発明の別の局面に従った内燃機関の燃料供給装置は、内燃機関の筒内に燃料を噴射するための第１の燃料噴射部と、第１の配管と、燃料ポンプと、リターン配管と、バルブとを備える。第１の配管は、燃料タンクから第１の燃料噴射部に向けて延びる。燃料ポンプは、燃料を加圧する加圧室を含む。燃料ポンプは、加圧した燃料を第１の燃料噴射部に向けて圧送する。燃料ポンプは、第１の配管の経路上に設けられている。リターン配管は、燃料ポンプに接続され、加圧室から漏出した燃料を回収する。バルブは、リターン配管の経路上に設置されている。バルブは、内燃機関の運転時に開弁し、内燃機関の停止時に閉弁する。
【０００９】
このように構成された内燃機関の燃料供給装置によれば、バルブを設置することによって、内燃機関の停止時に、第１の配管を満たす燃料が、燃料ポンプからリターン配管を通じて漏出することを抑制できる。これにより、内燃機関の停止後、第１の配管の内圧が急激に低下することを防止し、ベーパの発生を抑えることができる。この結果、内燃機関の始動性を向上させることができる。
【００１０】
また好ましくは、内燃機関の燃料供給装置は、内燃機関の吸気通路内に燃料を噴射するための第２の燃料噴射部と、第２の配管とをさらに備える。第２の配管は、バルブよりも燃料タンクから第１の燃料噴射部に向けて供給される燃料流れの上流側で第１の配管から分岐し、第２の燃料噴射部に向けて延びる。このように構成された内燃機関の燃料供給装置によれば、内燃機関の停止後、第１の配管に加えて第２の配管でもベーパが発生した場合、内燃機関の始動性が著しく低下する。このため、第１および第２の配管でベーパの発生が抑制される本発明を、より有効に適用することができる。
【００１１】
また好ましくは、バルブは、電磁バルブである。このように構成された内燃機関の燃料供給装置によれば、内燃機関の運転時、バルブに起因して配管の経路上の圧損が増大することを抑制できる。
【発明の効果】
【００１２】
以上説明したように、この発明に従えば、内燃機関の始動性の向上が図られる内燃機関の燃料供給装置を提供することができる。
【発明を実施するための最良の形態】
【００１３】
この発明の実施の形態について、図面を参照して説明する。なお、以下で参照する図面では、同一またはそれに相当する部材には、同じ番号が付されている。
【００１４】
（実施の形態１）
図１は、この発明の実施の形態１におけるエンジンの燃料供給装置を示す構成図である。図１を参照して、燃料供給装置１０は、車両に搭載されたエンジンに燃料を供給する。このエンジンは、たとえば、多気筒を備えるガソリンエンジンであり、各気筒の筒（シリンダ）１４０内に燃料を噴射する筒内噴射用インジェクタ１４３と、各気筒の吸気通路１５０内に燃料を噴射する吸気通路噴射用インジェクタ１５３とを有する。エンジンは、ガソリンエンジンに限定されず、コモンレール式のディーゼルエンジンであっても良い。
【００１５】
燃料供給装置１０は、燃料を蓄える燃料タンク１３５と、燃料タンク１３５から筒内噴射用インジェクタ１４３に向けて延びる燃料供給配管４１と、燃料供給配管４１から分岐し、吸気通路噴射用インジェクタ１５３に向けて延びる燃料供給配管４２と、燃料供給配管４１の経路上に設置された高圧燃料ポンプ２１とを備える。燃料タンク１３５に蓄えられた燃料は、燃料供給配管４２を通って筒内噴射用インジェクタ１４３に供給される。燃料供給配管４１は、高圧燃料ポンプ２１よりも燃料流れの上流側に配設された低圧配管部４１ｍと、下流側に配設された高圧配管部４１ｎとを含む。
【００１６】
筒内噴射用インジェクタ１４３および吸気通路噴射用インジェクタ１５３は、それぞれ、高圧デリバリパイプ１４２および低圧デリバリパイプ１５２に設けられている。これらのデリバリパイプは、圧力を保持して燃料を蓄えるとともに、その燃料をエンジンの各気筒に設けられたインジェクタに分配する。高圧配管部４１ｎは、高圧デリバリパイプ１４２に接続されている。燃料供給配管４２は、低圧デリバリパイプ１５２に接続されている。燃料供給配管４２は、低圧配管部４１ｍの経路上で燃料供給配管４１から分岐している。
【００１７】
高圧配管部４１ｎの経路上には、チェックバルブ１４７が設置されている。チェックバルブ１４７は、高圧燃料ポンプ２１から高圧デリバリパイプ１４２に向かう燃料流れを許容し、高圧デリバリパイプ１４２から高圧燃料ポンプ２１に向かう燃料流れを規制する。高圧デリバリパイプ１４２には、リリーフバルブ１４５を介してリターン配管４３が接続されている。高圧デリバリパイプ１４２内の燃圧が所定値を超えた場合に、燃料がリターン配管４３を通じて燃料タンク１３５に回収される。
【００１８】
燃料タンク１３５内には、低圧燃料ポンプ１３４、調圧部としてのプレッシャレギュレータ１３３および燃料フィルタ１３２が設置されている。低圧燃料ポンプ１３４は、燃料タンク１３５に蓄えられた燃料を低圧配管部４１ｍおよび燃料供給配管４２に移送する。プレッシャレギュレータ１３３は、低圧配管部４１ｍの経路上に設置されている。プレッシャレギュレータ１３３は、低圧配管部４１ｍおよび燃料供給配管４２に移送される燃料の燃圧を予め定めた一定値に保持する。つまり、燃圧がこの一定値を越える場合には、プレッシャレギュレータ１３３を通じて低圧配管部４１ｍから燃料タンク１３５に燃料が戻される。プレッシャレギュレータ１３３の設定圧は、たとえば、４００ｋＰａである。燃料フィルタ１３２は、燃料に混入する不純物を除去する。
【００１９】
高圧燃料ポンプ２１は、燃料タンク１３５から低圧配管部４１ｍに移送されてきた燃料を高圧に加圧して、高圧配管部４１ｎおよび高圧デリバリパイプ１４２に圧送する役割を果たす。高圧燃料ポンプ２１は、電磁スピル弁１１４、加圧室１１０、ポンプシリンダ１１７およびプランジャ１１５を有する。
【００２０】
ポンプシリンダ１１７内には、プランジャ１１５が摺動可能に封入されている。加圧室１１０は、ポンプシリンダ１１７のシリンダ壁と、プランジャ１１５の端面とに囲まれた空間に形成されている。プランジャ１１５は、カムシャフト１２１に形成されたカム１２２の回転運動を受けて、ポンプシリンダ１１７内で往復運動する。プランジャ１１５の往復運動に伴って、加圧室１１０の容積が変化する。
【００２１】
カム１２２の回転に伴いプランジャ１１５が下動する高圧燃料ポンプ２１の吸入行程時には、低圧配管部４１ｍ内の燃料が、加圧室１１０内に吸入される。一方、カム１２２の回転に伴いプランジャ１１５が上昇する高圧燃料ポンプ２１の圧送行程時には、加圧室１１０内の燃料が、高圧配管部４１ｎおよび高圧デリバリパイプ１４２に圧送される。ただし、高圧配管部４１ｎおよび高圧デリバリパイプ１４２に燃料が圧送されるのは、圧送行程時において、電磁スピル弁１１４が閉弁している期間のみであって、圧送行程時であっても電磁スピル弁１１４が開弁している期間は、加圧室１１０内の燃料は低圧配管部４１ｍに戻される。このため、圧送行程時における電磁スピル弁１１４の閉弁期間を制御することにより、高圧配管部４１ｎおよび高圧デリバリパイプ１４２に圧送する燃料を調量することができる。
【００２２】
電磁スピル弁１１４は、ソレノイドコイル１１２を有する電磁弁であり、ソレノイドコイル１１２への通電の有無に基づいて閉弁状態および開弁状態に制御される。電磁スピル弁１１４の開閉制御は、エンジンの運転を統括制御する図示しないＥＣＵ（Electrical Control Unit）によって行なわれる。
【００２３】
高圧燃料ポンプ２１には、リターン配管４３が接続されている。リターン配管４３を通じて、ポンプシリンダ１１７とプランジャ１１５との間から漏出した燃料が燃料タンク１３５に回収される。なお、リリーフバルブ１４５を介して高圧デリバリパイプ１４２から吐出された燃料を回収するリターン配管と、高圧燃料ポンプ２１から漏出した燃料を回収するリターン配管とは、互いに独立して設けられても良い。
【００２４】
低圧配管部４１ｍの経路上には、チェックバルブ３１が設置されている。チェックバルブ３１は、エンジン運転時に開弁し、エンジン停止時に閉弁する。
【００２５】
チェックバルブ３１は、高圧燃料ポンプ２１から燃料タンク１３５に向かう燃料流れを規制する。チェックバルブ３１は、プレッシャレギュレータ１３３の設定圧よりも小さい圧力で開弁し、燃料タンク１３５から高圧燃料ポンプ２１に向かう燃料流れを許容する。プレッシャレギュレータ１３３の設定圧が４００ｋＰａである場合、チェックバルブ３１の開弁圧は、たとえば、３６０ｋＰａである。チェックバルブ３１の開弁圧Ｐｘは、プレッシャレギュレータ１３３の設定圧Ｐｙを用いて、０．９Ｐｙ≦Ｐｘ＜Ｐｙの関係を満たしても良い。チェックバルブ３１の開弁圧Ｐｘは、０．８Ｐｙ≦Ｐｘ＜Ｐｙの関係を満たしても良い。
【００２６】
このような構成により、エンジン停止時に、低圧配管部４１ｍ、燃料供給配管４２および低圧デリバリパイプ１５２を満たす燃料が、高圧燃料ポンプ２１からリターン配管４３に漏出することを抑制できる。一方、エンジン運転時には、低圧配管部４１ｍ内の燃圧がチェックバルブ３１の開弁圧よりも大きくなる。このため、チェックバルブ３１が開弁し、燃料が高圧デリバリパイプ１４２に向けて供給される。なお、エンジン停止時、筒内噴射用インジェクタ１４３およびチェックバルブ１４７の油密保持性により、高圧デリバリパイプ１４２内の燃圧は保持される。
【００２７】
図２は、従来の燃料供給装置において、燃料供給配管内の圧力および温度の時間変化を示すグラフである。図２を参照して、図中には、低圧配管部４１ｍにチェックバルブ３１が設置されていない場合の圧力および温度の時間変化が示されている。ポイントＡはエンジン作動時、ポイントＢはエンジン停止時、ポイントＣは温度最大時、ポイントＤは温度降下開始時を指し示す。従来の燃料供給装置では、エンジン停止後に高圧燃料ポンプ２１からリターン配管４３に燃料が漏出する。このため、低圧配管部４１ｍ、燃料供給配管４２および低圧デリバリパイプ１５２内の温度が高いうちに、圧力が急激に低下する。
【００２８】
図３は、燃料供給配管内の圧力および温度の変化を燃料の蒸気圧線図上に表わしたグラフである。図３を参照して、低圧配管部４１ｍにチェックバルブ３１が設置されていない従来例では、エンジン停止の直後に低圧配管部４１ｍ、燃料供給配管４２および低圧デリバリパイプ１５２内の圧力が急激に低下する結果、圧力が燃料の飽和蒸気圧よりも低い値となる領域５０が生じる。この領域５０では、燃料が蒸発し、低圧配管部４１ｍ、燃料供給配管４２および低圧デリバリパイプ１５２内に大量のベーパが発生する。このため、再びエンジンを始動させるために低圧燃料ポンプ１３４を駆動させた時、低圧配管部４１ｍ、燃料供給配管４２および低圧デリバリパイプ１５２内の圧力が瞬時に上がり切らず、エンジンの始動性が損なわれるおそれが生じる。
【００２９】
これに対して、低圧配管部４１ｍにチェックバルブ３１が設置された実施例では、高圧燃料ポンプ２１からリターン配管４３への燃料の漏出が抑制されるため、低圧配管部４１ｍ、燃料供給配管４２および低圧デリバリパイプ１５２内の圧力が徐々に低下する。このため、低圧配管部４１ｍ、燃料供給配管４２および低圧デリバリパイプ１５２内でベーパが発生することを防止できる。好ましくは、チェックバルブ３１の開弁圧は、低圧配管部４１ｍ、燃料供給配管４２および低圧デリバリパイプ１５２内の考え得る最高温度で、燃料の飽和蒸気圧を下まわらないように決定される。
【００３０】
この発明の実施の形態１における内燃機関としてのエンジンの燃料供給装置１０は、エンジンの筒１４０内に燃料を噴射するための第１の燃料噴射部としての筒内噴射用インジェクタ１４３と、第１の配管としての燃料供給配管４１と、燃料ポンプとしての高圧燃料ポンプ２１と、バルブとしてのチェックバルブ３１とを備える。燃料供給配管４１は、燃料タンク１３５から筒内噴射用インジェクタ１４３に向けて延びる。高圧燃料ポンプ２１は、燃料を加圧する加圧室１１０を含む。高圧燃料ポンプ２１は、加圧した燃料を筒内噴射用インジェクタ１４３に向けて圧送する。高圧燃料ポンプ２１は、燃料供給配管４１の経路上に設けられている。チェックバルブ３１は、燃料供給配管４１の経路上であって、高圧燃料ポンプ２１よりも燃料タンク１３５から筒内噴射用インジェクタ１４３に向けて供給される燃料流れの上流側に設置されている。チェックバルブ３１は、エンジンの運転時に開弁し、エンジンの停止時に閉弁する。
【００３１】
燃料供給装置１０は、エンジンの吸気通路１５０内に燃料を噴射するための第２の燃料噴射部としての吸気通路噴射用インジェクタ１５３と、第２の配管としての燃料供給配管４２とをさらに備える。燃料供給配管４２は、チェックバルブ３１よりも燃料タンク１３５から筒内噴射用インジェクタ１４３に向けて供給される燃料流れの上流側で燃料供給配管４１から分岐し、吸気通路噴射用インジェクタ１５３に向けて延びる。
【００３２】
このように構成された、この発明の実施の形態１におけるエンジンの燃料供給装置１０によれば、エンジン停止時に、低圧配管部４１ｍ、燃料供給配管４２および低圧デリバリパイプ１５２内でベーパが発生することを抑制できる。これにより、高圧燃料ポンプ２１に瞬時に燃料が供給されるため、低圧燃料ポンプ１３４の駆動直後に高圧デリバリパイプ１４２内の燃圧を昇圧させることができる。また、低圧燃料ポンプ１３４の駆動直後に低圧デリバリパイプ１５２内に燃料を行き渡らせることができる。したがって、筒内噴射用インジェクタ１４３および吸気通路噴射用インジェクタ１５３のいずれでエンジンを始動させる場合であっても、エンジンの始動性を向上させることができる。
【００３３】
なお、本実施の形態では、筒内噴射用インジェクタ１４３および吸気通路噴射用インジェクタ１５３を備えるエンジンに本発明を適用した場合について説明したが、これに限定されず、筒内噴射用インジェクタ１４３のみ備えるエンジンに本発明を適用することもできる。しかしながら、筒内噴射用インジェクタ１４３および吸気通路噴射用インジェクタ１５３を備えるエンジンでは、燃料が高圧燃料ポンプ２１からリターン配管４３に漏出した場合に燃料供給配管４２でベーパが発生し易い。このため、ベーパの発生が抑制される本発明をより有効に適用することができる。
【００３４】
図４は、図１中の燃料供給装置の変形例を示す構成図である。図４を参照して、本変形例では、図１中に示すチェックバルブ３１に替えて、低圧配管部４１ｍの経路上に電磁バルブ３６が設置されている。電磁バルブ３６は、ＥＣＵ３７からの指令を受けて、エンジン運転時に開弁し、エンジン停止時に閉弁する。
【００３５】
このような構成により、チェックバルブ３１を用いた場合と比較して、エンジン運転時に低圧配管部４１ｍの経路上の圧損が増大することを抑制できる。これにより、低圧燃料ポンプ１３４の負荷を低減し、燃費を向上させることができる。
【００３６】
（実施の形態２）
図５は、この発明の実施の形態２におけるエンジンの燃料供給装置を示す構成図である。本実施の形態における燃料供給装置は、実施の形態１における燃料供給装置１０と比較して、基本的には同様の構造を備える。以下、重複する構造については説明を繰り返さない。
【００３７】
図５を参照して、本実施の形態では、図１中に示すチェックバルブ３１に替えて、リターン配管４３の経路上にチェックバルブ３３が設置されている。チェックバルブ３３は、エンジンの運転時に開弁し、エンジン停止時に閉弁する。チェックバルブ３３は、燃料タンク１３５から高圧燃料ポンプ２１に向かう燃料流れを規制する。チェックバルブ３３は、高圧燃料ポンプ２１から漏出した燃料の圧力よりも小さい圧力で開弁し、高圧燃料ポンプ２１から燃料タンク１３５に向かう燃料流れを許容する。
【００３８】
この発明の実施の形態２におけるエンジンの燃料供給装置は、筒内噴射用インジェクタ１４３と、燃料供給配管４１と、高圧燃料ポンプ２１と、リターン配管４３と、バルブとしてのチェックバルブ３３とを備える。チェックバルブ３３は、リターン配管４３の経路上に設置されている。チェックバルブ３３は、エンジンの運転時に開弁し、エンジンの停止時に閉弁する。燃料供給装置は、吸気通路噴射用インジェクタ１５３と、燃料供給配管４２とをさらに備える。
【００３９】
図６は、図５中の燃料供給装置の変形例を示す構成図である。図６を参照して、本実施の形態では、図５中のチェックバルブ３３に替えて、リターン配管４３の経路上に電磁バルブ３８が設置されている。電磁バルブ３８は、図４中の電磁バルブ３６と同様に動作する。
【００４０】
このように構成された、この発明の実施の形態２におけるエンジンの燃料供給装置によれば、実施の形態１に記載の効果を同様に得ることができる。加えて、本実施の形態では、チェックバルブ３３や電磁バルブ３８が低圧配管部４１ｍの経路上の圧損を増大させるということがない。これにより、低圧燃料ポンプ１３４の負荷を低減し、燃費を向上させることができる。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４２】
【図１】この発明の実施の形態１におけるエンジンの燃料供給装置を示す構成図である。
【図２】従来の燃料供給装置において、燃料供給配管内の圧力および温度の時間変化を示すグラフである。
【図３】燃料供給配管内の圧力および温度の変化を燃料の蒸気圧線図上に表わしたグラフである。
【図４】図１中の燃料供給装置の変形例を示す構成図である。
【図５】この発明の実施の形態２におけるエンジンの燃料供給装置を示す構成図である。
【図６】図５中の燃料供給装置の変形例を示す構成図である。
【符号の説明】
【００４３】
１０  燃料供給装置、２１  高圧燃料ポンプ、３１，３３  チェックバルブ、３６，３８  電磁バルブ、４１，４２  燃料供給配管、４３  リターン配管、１１０  加圧室、１３３  プレッシャレギュレータ、１３５  燃料タンク、１４０  筒、１４３  筒内噴射用インジェクタ、１５０  吸気通路、１５３  吸気通路噴射用インジェクタ。
【図１】
2007327424.tif 000003
【図２】
2007327424.tif 000004
【図３】
2007327424.tif 000005
【図４】
2007327424.tif 000006
【図５】
2007327424.tif 000007
【図６】
2007327424.tif 000008